(57)【要約】      （修正有）【課題】情報の劣化を防止した耐久性のよい表示構造を提供する。【解決手段】透明フィルム１１及び透明フィルム１１の裏面に形成されレーザーにより変質する材料からなる記録層１２とを具備するラベル１０と、ラベル１０を表面側に配設して一体的に形成される樹脂構造体２０と、を有し、記録層１２には、透明フィルム１１の表面側から照射されるレーザーによって情報が記録されることを特徴とする表示構造１。【選択図】図１
2008225214.tif 000002
【特許請求の範囲】
【請求項１】
透明フィルム及び該透明フィルムの裏面に形成されレーザーにより変質する材料からなる記録層とを具備するラベルと、
前記ラベルを表面側に配設して一体的に形成される樹脂構造体と、を有し、
前記記録層には、前記透明フィルムの表面側から照射されるレーザーによって情報が記録されることを特徴とする表示構造。
【請求項２】
前記ラベルを金型に挿入した後、前記金型の中に溶融樹脂を供給することで前記樹脂構造体を形成して得られることを特徴とする請求項１に記載の表示構造。
【発明の詳細な説明】
【技術分野】
【０００１】
本発明は、ラベル等に文字や模様を表示する場合の表示構造に関するものである。
【背景技術】
【０００２】
従来、インモールド成形やインサート成形に用いるラベルがあり、このラベルをインモールド成形又はインサート成形をすることによって、コンテナの表示部とするものがある（例えば、特許文献１参照）。一方、レーザーを用いて記録を行うことで、高精度な記録を行うことのできるラベルがある（例えば、特許文献２参照）。
【０００３】
一般に、これらのラベル等の表示構造に用いられる表示部分は、ラベルの表示部分が表面に露出している。そして、当該表面部分にインクによる印刷やレーザーによる記録を行うことで、所望の情報の表示を行っている。
【０００４】
【特許文献１】特開２００６−４８０１６
【特許文献２】特開２００２−３１１８３３
【発明の開示】
【発明が解決しようとする課題】
【０００５】
しかしながら、表示部分がラベル等の表面に露出した構成であると、表面のインクが空気と接触して変色したり、表面が外部の物と接触することにより記録された情報が擦れて磨耗したりすることがある。このように、表示部分がラベル表面に露出していると、記録された情報が経時的に劣化してしまうおそれがあった。
【０００６】
本発明の目的は、情報の劣化を防止した耐久性のよい表示構造を提供することである。
【課題を解決するための手段】
【０００７】
上記目的を達成するための本発明の構成は、次のとおりである。
【０００８】
（１）
透明フィルム及び該透明フィルムの裏面に形成されレーザーにより変質する材料からなる記録層とを具備するラベルと、
前記ラベルを表面側に配設して一体的に形成される樹脂構造体と、を有し、
前記記録層には、前記透明フィルムの表面側から照射されるレーザーによって情報が記録されることを特徴とする表示構造。
【０００９】
（２）
前記ラベルを金型に挿入した後、前記金型の中に溶融樹脂を供給することで前記樹脂構造体を形成して得られることを特徴とする（１）に記載の表示構造。
【発明の効果】
【００１０】
（１）の構成においては、レーザーにより記録がなされた記録層が透明フィルムによって覆われ且つ裏面が樹脂構造体によって覆われている。これにより、記録された部分が外部と接触することをなくし、記録層の劣化を防止することで耐久性のよい表示構造とすることができる。また、表示構造を作成した後に所望の文字等を記録するため、予め記録する内容を決めておく必要がなくなり、表示構造を効率的に製造することができる。
【００１１】
（２）の構成によると、金型に供給される樹脂の熱により、ラベルと樹脂構造体とが一体的になる。このため、樹脂と樹脂とを結合するための粘着剤が必要ない。このため、表示構造を更に効率的に製造することができる。
【発明を実施するための最良の形態】
【００１２】
図を用いて本発明の一実施形態を説明する。図１は本実施形態の表示構造の構成を示す説明図であり、図２は本実施形態の表示構造の製造過程を説明する図であり、図３は本実施形態の表示構造に記録する際の説明図であり、図４は本実施形態の変形例の構成を示す図である。
【００１３】
（表示構造１の構成）
図１を用いて表示構造１の構成を説明する。図１（ａ）に示すように、表示構造１は、樹脂部材からなる。図１（ｂ）に示すように、表示部として透明フィルム１１と記録層１２とを具備するラベル１０と、ラベル１０を表面側に露出しつつ、ラベル１０の裏面から覆うように一体的に形成される樹脂構造体２０から構成される。
【００１４】
透明フィルム１１は、レーザーを透過するように透明な樹脂で形成される。一方、記録層１２は、透明フィルム１１の裏面に形成され、本実施形態においては、樹脂構造体２０の色と異なる色の顔料で構成される。尚、記録層１２は必ずしも顔料に限るものではなく、レーザーによって変質する材料からなり、この変質によって記録をすることができれば、アルミニウム等の金属を蒸着を施したもの等、他の材質のものでもよい。または、記録層１２をロイコ染料を用いたものとすれば、レーザーの熱によって記録の他、記録の消去や最記録をもすることができる。
【００１５】
樹脂構造体２０は、透明フィルム１１及び記録層１２の周囲及び裏面を覆うように配設され、ラベル１０を保護する。
【００１６】
（表示構造１の製造方法及び使用方法）
図２及び図３を用いて表示構造１の製造方法及び使用方法を説明する。本実施形態の製造方法は、ラベル１０を金型３０に挿入した後、金型３０に溶融樹脂を射出する、いわゆるインサート成形である。
【００１７】
まず、表示構造１を製造する手順を説明する。図２（ａ）に示すように、金型３０（金型３０Ａ、金型３０Ｂ）を開いた状態で、金型のキャビティ内にラベル１０を載置する。この際、ラベル１０の透明フィルム１１を金型３０Ｂに当接した状態とする。
【００１８】
図２（ｂ）に示すように金型３０を閉じた後、金型３０Ａに付帯して配設される射出手段から溶融樹脂が金型３０のキャビティ内に射出される。溶融樹脂の温度が低下して固化すると、溶融樹脂が樹脂構造体２０となる。このとき、溶融樹脂の熱により、ラベル１０と樹脂構造体２０とが一体となる。この後、金型３０を開き、樹脂構造体２０の余分な部分であるスプルー等を除去することで、表示構造１が完成する。
【００１９】
次に、表示構造１の使用方法を説明する。図３に示すように、表示構造１に対して、レーザー照射装置４０によってレーザー４１の照射がなされる。すると、レーザー４１の熱がラベル１０内の透明フィルム１１を透過しつつ記録層１２に作用することで、記録がなされる。
【００２０】
本実施形態においては、記録層１２は樹脂構造体２０の色と異なる顔料で構成されている。このため、レーザー４１が記録層１２に対して照射されると、記録層１２を構成する顔料は、レーザー４１の熱により溶ける。すると、レーザー４１を照射した部分の顔料の裏面にあった樹脂構造体２０の色が表出し、照射していない部分の顔料はそのまま残る。すると、顔料の色と露出した樹脂構造体２０の色とによってコントラストができ、記録層１２に模様や文字などの記録がなされる。
【００２１】
以上のように、本実施形態における表示構造１は、レーザー４１により記録がなされた記録層１２が透明フィルム１１によって覆われ且つ裏面が樹脂構造体２０によって覆われている。これにより、記録された部分が外部と接触することをなくし、記録層の劣化を防止することで耐久性のよい表示構造とすることができる。また、表示構造１を作成した後に所望の文字等を記録する。このため、予め記録する内容を決めておく必要がなくなり、表示構造１を効率的に製造することができる。
【００２２】
更に、本実施形態の製造方法によれば、射出される溶融樹脂の熱により、ラベル１０と樹脂構造体２０とが一体的になる。このため、樹脂と樹脂とを結合するための粘着剤が必要ない。このため、表示構造を更に効率的に製造することができる。尚、透明フィルム１１と樹脂構造体２０とは、樹脂同士が結合しやすいように、同じ材質又は結合しやすい関係にある材質であることが好ましい。
【００２３】
本実施形態においては、表示構造１の構造として、ラベル１０の周囲を樹脂構造体２０で覆うのみの構成としたが、これに限るものではない。例えば変形例として、図４に示すように、樹脂構造体２０の内部にＩＣチップ５０を埋め込んで使用してもよい。
【００２４】
このような表示構造とする場合には、図４（ａ）に示すように、ＩＣチップ５０を保護樹脂５０ａで覆ったものをラベル１０とともに金型３０のキャビティ内に挿入し、上述と同様に射出成形を行う。
【００２５】
また、表示構造１は、図１乃至図４に示すような、ラベル状のものでなくてもよい。即ち、樹脂構造体２０部分が容器の形状であれば、容器にラベル１０が一体的に付帯した構造となる。また、樹脂構造体２０を容器以外の製品とすれば、製品の表面にラベル１０による表示がなされることとなる。
【００２６】
本実施形態においては、樹脂構造体２０を成形する際に、金型の中に溶融樹脂を供給する方法として射出することとしたが、これに限るものではない。例えば、ブロー成形など、他の成型方法を広く用いることができる。
【産業上の利用可能性】
【００２７】
本発明の表示構造は、ラベル以外であっても、表面において記録が行われる他の樹脂成形品に幅広く利用することができる。
【図面の簡単な説明】
【００２８】
【図１】本実施形態の表示構造の構成を示す説明図。
【図２】本実施形態の表示構造の製造過程を説明する図。
【図３】本実施形態の表示構造に記録する際の説明図。
【図４】本実施形態の変形例の構成を示す図。
【符号の説明】
【００２９】
１…表示構造、１０…ラベル、１１…透明フィルム、１２…記録層、２０…樹脂構造体、３０…金型、４０…レーザー照射装置、４１…レーザー、５０…ＩＣチップ、保護樹脂…５０ａ
【図１】
2008225214.tif 000003
【図２】
2008225214.tif 000004
【図３】
2008225214.tif 000005
【図４】
2008225214.tif 000006